(57)【要約】      （修正有）【課題】設置された環境に応じて、表示する画像を見易いように調整することを容易化した画像処理装置を提供する。【解決手段】画像投影装置１００は、制御手段２０１、投影手段２０２、記憶手段２０３、環境取得手段２０４、及び加工手段２０５を有する。制御手段２０１は、時間変更手段２０６、表示制御手段２０７、画像変更手段２０８を有している。時間変更手段２０６は、環境取得手段２０４等から取得した、画像投影装置１００が設置された環境に係る情報に基づいて、投影シナリオ２０９の投影時間（所定の時間間隔）を変更する。例えば、周囲が明るい場合には、投影された画像が見にくくなるので、１つの画像当たりの投影時間を長くすることによって、視認性を向上させる。【選択図】図２
2015049480.tif 000002
【特許請求の範囲】
【請求項１】
所定の画像データを所定の時間間隔で順次表示させる手段と、
設置された環境に係る情報に基づいて前記所定の時間間隔を変更する手段と、
を有する画像処理装置。
【請求項２】
前記設置された環境に係る情報に基づいて前記所定の画像データを変更する画像変更手段を有する請求項１に記載の画像処理装置。
【請求項３】
所定の画像データを所定の時間間隔で順次表示させる手段と、
設置された環境に係る情報に基づいて前所定の画像データを変更する画像変更手段と、
を有する画像処理装置。
【請求項４】
前記設置された環境に係る情報は、前記画像処理装置の周囲の明るさ又は温度を示す情報を含む請求項１乃至３のいずれか一項に記載の画像処理装置。
【請求項５】
前記設置された環境に係る情報は、現在の時刻又は日付に係る情報を含む請求項１乃至４のいずれか一項に記載の画像処理装置。
【請求項６】
前記画像変更手段は、前記所定の画像データの候補となる複数の画像データの中から、前記設置された環境に係る情報に応じて前記所定の画像データを選択する請求項２又は３に記載の画像処理装置。
【請求項７】
前記画像変更手段は、前記設置された環境に係る情報に応じて前記所定の画像データの色に関するデータを変更する請求項２又は３に記載の画像処理装置。
【請求項８】
前記画像データの変更に係る処理を外部の装置又はシステムに実行させる請求項２又は３に記載の画像処理装置。
【請求項９】
前記所定の画像データ及び前記所定の時間間隔を特定するためのシナリオ情報、又は前記所定の画像データを外部記憶手段又は外部サーバから取得する手段を有する請求項１乃至８のいずれか一項に記載の画像処理装置。
【請求項１０】
前記設置された環境に係る情報を前記外部サーバ又は外部機器から取得する手段を有する請求項９に記載の画像処理装置。
【請求項１１】
前記所定の画像データ、又は前記設置された環境に係る情報を蓄積する手段を有する請求項１乃至１０のいずれか一項に記載の画像処理装置。
【請求項１２】
所定の画像データを所定の時間間隔で順次表示させる手段と、
周囲の環境に係る情報を取得する手段と、
前記周囲の環境に係る情報に基づいて、前記所定の時間間隔を変更する手段と、
を有する画像処理システム。
【請求項１３】
前記前記所定の画像データ及び前記所定の時間間隔を特定するためのシナリオ情報、又は前記所定の画像データを記憶する手段と、
前記シナリオ情報又は前記所定の画像データを取得する手段と、
を有する請求項１２に記載の画像処理システム。
【発明の詳細な説明】
【技術分野】
【０００１】
本発明は、画像処理装置及び画像処理システムに関する。
【背景技術】
【０００２】
従来、画像投影装置は、会議室やホール等の特定の環境下で使われることが多かった。一方、近年、持ち運び可能で、設置方法を柔軟に変化させることができる超短焦点プロジェクタの普及により、画像投影装置を、例えば、広告用途等に利用することができるようになった。その結果、画像投影装置は、それまで画像投影装置が利用されていた会議室等だけではなく、ライトアップされた店舗や屋外にも設置されるようになった。
【０００３】
また、画像投影装置が電池で駆動される場合、電源電圧が低下すると光源への供給電流を減らして輝度を下げると共に、輝度低下を補うようにガンマ補正を行う技術が知られている（例えば、特許文献１）。
【発明の概要】
【発明が解決しようとする課題】
【０００４】
従来の画像投影装置は、会議室等で利用されていたため、投影された画像が見やすいように周囲の明るさを調整することが可能であった。一方、画像投影装置等を広告用途等に利用する場合、設置される環境によって周囲の明るさは様々であり、屋外や窓際等に設置された場合等、時間と共に周囲の明るさが変化することもある。このような場合、従来の画像投影装置では、設置された環境に応じて、表示される画像を見易いように調整することには困難を伴っていた。
【０００５】
本発明の実施の形態は、上記問題点を鑑みてなされたものであって、設置された環境に応じて、表示する画像を見易いように調整することを容易化した画像処理装置を提供することを目的とする。
【課題を解決するための手段】
【０００６】
上記課題を解決するため、一実施の形態に係る画像処理装置は、所定の画像データを所定の時間間隔で順次表示させる手段と、設置された環境に係る情報に基づいて前記所定の時間間隔を変更する手段と、を有する。
【発明の効果】
【０００７】
本実施の形態によれば、設置された環境に応じて、表示する画像を見易いように調整することを容易化した画像処理装置を提供することができる。
【図面の簡単な説明】
【０００８】
【図１】一実施形態に係る画像投影装置のハードウェア構成の一例を示すブロック図である。
【図２】一実施形態に係る画像投影装置の機能構成の一例を示す図である。
【図３】一実施形態に係る投影シナリオの一例である。
【図４】第１の実施の形態に係る切替え速度変更処理の一例を示すシーケンスチャートである。
【図５】第１の実施の形態に係る切替え速度変更処理の別の一例を示すシーケンスチャートである。
【図６】第２の実施の形態に係る画像加工処理の一例を示すシーケンスチャートである。
【図７】第３の実施の形態に係る画像選択処理の一例を示すシーケンスチャートである。
【図８】一実施形態に係る投影シナリオの別の一例である。
【図９】第４の実施の形態に係る処理の一例を示すシーケンスチャートである。
【図１０】第５の実施の形態に係る画像投影装置の機能構成の一例を示す図である。
【図１１】第６の実施の形態に係る画像投影システムの機能構成の一例を示す図である。
【図１２】第６の実施の形態に係る画像加工処理の一例を示すシーケンスチャートである。
【発明を実施するための形態】
【０００９】
以下に、本発明の実施の形態について、添付の図面を参照して説明する。
【００１０】
＜ハードウェア構成＞
図１は、一実施形態に係る画像投影装置１００のハードウェア構成の一例を示すブロック図である。尚、画像投影装置１００は、画像処理装置の一例である。
【００１１】
画像投影装置１００は、一般的なコンピュータの構成を含んでおり、例えば、ＣＰＵ（Central Processing Unit）１０１、メモリ１０２、画像処理部１０３、リアルタイムクロック（以下、ＲＴＣと称す）１０４、照度センサ１０５、温度センサ１０６、光源１０７、表示部１０８、ビデオＲＡＭ（Random Access Memory）１０９、操作部１１０、外部メモリＩ／Ｆ（Interface）１１１、通信Ｉ／Ｆ１１２、システムバス１１３等を有している。
【００１２】
メモリ１０２は、例えば、ＣＰＵ１０１のワークエリア等として使用される揮発性のメモリであるＲＡＭ、画像投影装置１００のプログラムやデータ等を格納する不揮発性のメモリであるＲＯＭ（Read Only Memory）、及び画像データ及びシナリオデータ等を記憶するフラッシュＲＯＭ等のストレージデバイスを含む記憶部である。尚、ＲＯＭは、フラッシュＲＯＭや、ＥＥＰＲＯＭ（Electrically Erasable Programmable Read Only Memory）等であっても良い。
【００１３】
ＣＰＵ１０１は、メモリ１０２のＲＯＭ等からプログラムやデータを読出し、処理を実行することで画像投影装置１００が備える各機能を実現する演算装置である。画像処理部１０３は、ＣＰＵ１０１等の指示により各種画像処理を行うブロックで、例えば、ＤＳＰ（Digital Signal Processor）等で構成される。
【００１４】
ＲＴＣ１０４は、画像投影装置１００の電源が切られているときも動作を続ける時計機能を持ち、ＣＰＵ１０１等の要求に応じて、現在の時刻及び日付等に関する情報を出力する。照度センサ１０５は、画像投影装置１００が設置された環境の明るさ、例えば、画像投影装置１００の周囲の明るさ、又は投影スクリーンの明るさ等を検知し、電気信号等に変換して出力する。温度センサ１０６は、画像投影装置１００設置された環境の温度（周囲温度）を検知し、電気信号等に変換して出力する。
【００１５】
光源１０７は、画像投影装置１００が画像を投影するための光源であり、例えば、レーザー光源、ＬＥＤ（Light Emitting Diode）等の固体光源、又は、高圧水銀ランプ等のランプ光源等が使用される。表示部１０８は、例えば、ＤＭＤ（Digital Mirror Device）、液晶等の表示デバイスと投影用のレンズ等を含む。表示デバイスに表示された画像は、光源１０７から出力された光によって、投影レンズを通して、投影面に投影される。ビデオＲＡＭ１０９は、投影する画像データを一時的に記憶するメモリである。表示部１０８は、ビデオＲＡＭ１０９に書き込まれた画像データを表示する。
【００１６】
操作部１１０は、ユーザが画像投影装置１００の各種操作を行うための入力部である。外部メモリＩ／Ｆ１１１は、ＵＳＢメモリ、各種メモリカード等の記録媒体を接続し、データの読み書きを行うためのインタフェースである。通信Ｉ／Ｆ１１２は、有線／無線ＬＡＮ（Local Area Network）、ＷＡＮ（Wide Area Network）等のネットワークを介してデータの送受信を行う通信手段である。システムバス１１３は、アドレスバス、データバス及び各種制御信号を伝達するバスである。
【００１７】
＜機能構成＞
図２は、一実施形態に係る画像投影装置１００の機能構成の一例を示す図である。画像投影装置１００は、制御手段２０１、投影手段２０２、記憶手段２０３、環境取得手段２０４、及び加工手段２０５を有する。
【００１８】
制御手段２０１は、画像投影装置１００の制御を行う手段であり、例えば、図１のＣＰＵ１０１、メモリ１０２、及びプログラム等によって実現される。制御手段２０１は、時間変更手段２０６、表示制御手段２０７、画像変更手段２０８を有している。
【００１９】
表示制御手段２０７は、記憶手段２０３に記憶された投影シナリオ２０９に従って、所定の画像データを所定の時間間隔で投影手段２０２に順次表示させるスライドショーの制御を行う。尚、投影シナリオ２０９は、所定の画像データ及び所定の時間間隔を特定するためのシナリオ情報である。
【００２０】
図３は、一実施形態に係る投影シナリオ２０９の一例を示す図である。投影シナリオ２０９には、例えば、投影する画像（画像１〜４）の格納場所と、それぞれの画像の投影時間等が記録されている。また、記憶手段２０３には、図３のディレクトリ構成３０１に示すように、画像データ２１０が格納されている。尚、画像データ２１０は、静止画、動画のいずれであっても良い、また、静止画と動画が混在したものであっても良い。
【００２１】
表示制御手段２０７は、例えば、この投影シナリオ２０９を記憶手段２０３から読み出して、指定された画像データ（所定の画像データ）を、指定された投影時間（所定の時間間隔）ずつ投影手段２０２に順次表示させる。また、投影シナリオ２０９のリピート設定が「あり」となっている場合には、投影間隔に指定された時間毎に、繰り返し指定された画像の投影を繰り返す。
【００２２】
図２に戻って、機能構成の説明を続ける。時間変更手段２０６は、環境取得手段２０４等から取得した、画像投影装置１００が設置された環境に係る情報に基づいて、投影シナリオ２０９の投影時間（所定の時間間隔）を変更する。例えば、周囲が明るい場合には、投影された画像が見にくくなるので、１つの画像当たりの投影時間を長くすることによって、視認性を向上させる。
【００２３】
画像変更手段２０８は、環境取得手段２０４から取得した、画像投影装置１００が設置された環境に係る情報に基づいて、投影する画像データ（所定の画像データ）を変更する。
【００２４】
一例として、画像変更手段２０８は、設置された環境に係る情報に基づいて、投影する画像データの色に関するデータ、例えば、画像の明るさや色合い等を変更する。例えば、明るい画像（白っぽい画像）を明るい場所で投影すると、画像が判り難くなるので、周囲が明るい場合には、画像データの明るさを下げるように画像処理を行う。また、周囲の温度や季節等に応じて、涼しげな色合い又は暖かみのある色合いとなるように画像処理を行っても良い。
【００２５】
また、別の一例として、画像変更手段２０８は、画像の明るさ、文字の大きな、色合い、季節に応じた画像等、異なる複数の画像データの中から、設置された環境に係る情報に応じた画像を選択する。すなわち、設置された環境に係る情報に応じて、投影する画像データ（ファイル等）を変更するものであっても良い。
【００２６】
環境取得手段２０４は、画像投影装置１００が設置された環境に係る情報を取得する手段で、例えば、図１の照度センサ１０５、温度センサ１０６、ＲＴＣ１０４等に相当する。尚、ここで、設置された環境とは、画像投影装置１００の周囲の明るさ、温度、日付、時刻、曜日、又は季節等、さらにその任意の組合せを含む。
【００２７】
加工手段２０５は、制御手段２０１の指示に応じて、画像処理を行う手段で、例えば、図１の画像処理部１０３等を含む。加工手段２０５は、例えば、画像変更手段２０８の指示に応じて、画像データの明るさ、色合い、コントラスト等を変更する。尚、加工手段２０５は、画像変更手段２０８に含まれていても良い。すなわち、加工手段２０５は、ＤＳＰ等のプロセッサを用いずに、ＣＰＵ１０１等で動作するプログラムによって実現されるものであっても良い。
【００２８】
投影手段２０２は、表示制御手段２０７に指示された画像データを投影する手段で、例えば、図１の光源１０７、表示部１０８、ビデオＲＡＭ１０９等を含む。
【００２９】
記憶手段２０３は、投影シナリオ２０９、画像データ２１０、及び周囲の環境に係る情報等を記憶（蓄積）する手段で、例えば、図１のメモリ１０２等に含まれる。
【００３０】
上記構成により、画像投影装置１００は、投影シナリオ２０９に基づいて、所定の画像データを所定の時間間隔で順次表示させる。さらに、環境取得手段２０４から取得した、設置された環境に係る情報に応じて、投影される画像が見易いように、上記所定の時間間隔、又は上記所定の画像データを自動的に変更する。
【００３１】
＜処理の流れ＞
次に、画像投影装置１００の処理の流れについて説明する。
【００３２】
［第１の実施の形態］
第１の実施の形態では、画像投影装置１００は、設置された環境に係る情報に基づいて、画像の切り替え速度（投影時間）を変更する。
【００３３】
図４は、第１の実施の形態に係る切替え速度変更処理の一例を示すシーケンスチャートである。表示制御手段２０７は、ユーザの投影開始を指示する操作等に応じて、記憶手段２０３に記憶された投影シナリオ２０９を取得する（ステップＳ４０１、Ｓ４０２）。表示制御手段２０７は、取得した投影シナリオ２０９に基づいて、時間変更手段２０６に、最初に投影する画像１の投影時間１の算出を要求する（ステップＳ４０３）。
【００３４】
要求を受けた時間変更手段２０６は、環境取得手段２０４から、画像投影装置１００が設置された環境に係る情報を取得する（ステップＳ４０４、Ｓ４０５）。尚、ここでは、設置された環境に係る情報が、画像投影装置１００の周囲の明るさを示す情報である場合について説明を行う。環境取得手段２０４から、明るさを示す情報を取得した時間変更手段２０６は、画像投影装置１００の周囲の明るさに応じた投影時間１を算出する（ステップＳ４０６）。
【００３５】
ここで、周囲の明るさに応じた投影時間の算出方法の一例について説明する。明るい場所では、画像が見え難くなるため、本実施の形態では、投影する画像の投影を長くすることによって、投影画像の視認性を向上させる。具体的には、例えば、複数の閾値Ｗ１、Ｗ２（Ｗ１＞Ｗ２）を定め、照度センサ１０５から取得した明るさを示す値Ｘに応じて、補正前の画像投影時間Ｔｂに補正値を加算して、補正後の投影時間Ｔａを算出する。
【００３６】
例えば、以下の式において、ｔ１＞ｔ２＞ｔ３となるように、補正値ｔ１、ｔ２、ｔ３を定める（例えば、ｔ１＝１５秒、ｔ２＝５秒、ｔ３＝０秒等）。尚、Ｘの値は、大きい方がより明るいことを示すものとする。
（Ｘ＞Ｗ１の場合）
補正後の投影時間（Ｔａ）＝補正前の投影時間（Ｔｂ）＋補正値（ｔ１）
（Ｗ１≧Ｘ＞Ｗ２の場合）
補正後の投影時間（Ｔａ）＝補正前の投影時間（Ｔｂ）＋補正値（ｔ２）
（Ｗ２≧Ｘの場合）
補正後の投影時間（Ｔａ）＝補正前の投影時間（Ｔｂ）＋補正値（ｔ３）
例えば、このようにして、周囲の明るさが明るい場合に、投影時間が長くなるように、補正後の投影時間Ｔａを算出することができる。
【００３７】
図４に戻って説明を続ける。時間変更手段２０６は、投影時間１を算出すると、算出した投影時間１を表示制御手段２０７へ通知する（ステップＳ４０７）。
【００３８】
一方、表示制御手段２０７は、取得した投影シナリオ２０９に基づいて、画像変更手段２０８に、最初に投影する画像１の取得を要求する（ステップＳ４０８）。要求を受けた画像変更手段２０８は、記憶手段２０３より、指定された画像（画像１）を取得する（ステップＳ４０９、Ｓ４１０）。本実施の形態では、画像変更手段２０８は、取得した画像１に変更を加えずに、表示制御手段２０７に通知する（ステップＳ４１１）。表示制御手段２０７は、投影手段２０２に、取得した画像１の投影を要求する（ステップＳ４１２）。
【００３９】
同様にして、表示制御手段２０７は、次に投影する画像２の投影時間２を時間変更手段２０６から取得する（ステップＳ４１３〜Ｓ４１５）。尚、時間変更手段２０６は、表示制御手段２０７から、投影時間の算出要求を受ける度に、環境取得手段２０４から、設置された環境に係る情報を取得しても良いし、所定の時間毎に取得するものであっても良い。また、表示制御手段２０７は、画像２を画像変更手段２０８から取得する（ステップＳ４１６〜Ｓ４１９）。表示制御手段２０７は、画像１の投影開始から、投影時間１が経過するのを待って（ステップＳ４２０）、投影手段２０２に画像２の投影を要求する（ステップＳ４２１）。同様にして、順次、画像３、４の投影を行う。
【００４０】
上記動作により、投影シナリオ２０９に基づいて、所定の画像を所定の間隔で順次投影する画像投影装置１００において、設置された場所の明るさを示す情報に応じて、１つの画像当たりの投影時間を変更することができる。
【００４１】
次に、図５は、第１の実施の形態に係る切替え速度変更処理の別の一例を示すシーケンスチャートである。図４の例では、時間変更手段２０６は、環境取得手段２０４から取得した明るさを示す情報に応じて、補正後の投影時間１の算出を行っていた。図５の例は、環境取得手段２０４から取得した明るさを示す情報と、画像１の明るさを示す情報を比較した結果に応じて、補正後の投影時間１を算出する。
【００４２】
図５において、表示制御手段２０７は、ユーザの投影開始を指示する操作等に応じて、記憶手段２０３に記憶された投影シナリオ２０９を取得する（ステップＳ５０１、Ｓ５０２）。表示制御手段２０７は、取得した投影シナリオ２０９に基づいて、時間変更手段２０６に、最初に投影する画像１の投影時間１の算出を要求する（ステップＳ５０３）。要求を受けた時間変更手段２０６は、環境取得手段２０４から、画像投影装置１００が設置された環境に係る情報を取得する（ステップＳ５０４、Ｓ５０５）。
【００４３】
一方、表示制御手段２０７は、取得した投影シナリオ２０９に基づいて、画像変更手段２０８に、最初に投影する画像１の取得を要求する（ステップＳ５０６）。要求を受けた画像変更手段２０８は、記憶手段２０３より、指定された画像（画像１）を取得する（ステップＳ５０７、Ｓ５０８）。次に、画像変更手段２０８は、取得した画像１の明るさを示す情報、例えば、ＹＣｂＣｒ形式の画像データであれば、輝度を示すＹの値の全画素の代表値（平均値、中央値等）を時間変更手段２０６に通知する（Ｓ５０９）。尚、画像１の明るさを示す情報は、表示制御手段２０７を介して、時間変更手段２０６へ通知されるものであっても良い。また、画像変更手段２０８は、取得した画像１を、表示制御手段２０７に通知する（ステップＳ５１０）。
【００４４】
時間変更手段２０６は、環境取得手段２０４から取得した周囲の明るさを示す情報と、画像変更手段２０８から取得した画像１の明るさを示す情報とを比較して、補正後の投影時間１を算出する（ステップＳ５１１）。具体的には、例えば、画像の明るさをＢとし、画像の明るさＢと照度センサ１０５から取得した値Ｘとの比較により、補正前の画像投影時間Ｔｂに補正値を加算して、補正後の投影時間Ｔａを算出する。
【００４５】
例えば、以下の式において、ｔ１＜ｔ２となるように、補正値ｔ１、ｔ２を定める（例えば、ｔ１＝５秒、ｔ２＝１５秒等）。尚、Ｘの値及びＢの値は、大きい方がより明るいことを示すものとする。尚、Ｘの値とＢの値は、互いに比較できるように、必要に応じて、所定の係数を乗算すること等により、数値の大きさを合わせておくと良い。
（Ｘ＞Ｂの場合）
補正後の投影時間（Ｔａ）＝補正前の投影時間（Ｔｂ）＋補正値（ｔ１）
（Ｂ≧Ｘの場合）
補正後の投影時間（Ｔａ）＝補正前の投影時間（Ｔｂ）＋補正値（ｔ２）
例えば、このようにして、周囲の明るさを示す情報と、画像の明るさを示す情報との比較により、補正後の投影時間Ｔａを算出することができる。
【００４６】
以上、上記動作により、第１の実施の形態では、投影シナリオに基づいて、所定の画像を所定の間隔で順次投影する画像投影装置１００において、画像投影装置１００が設置された環境に係る情報に基づいて、上記所定の間隔を変更する。具体的には、画像投影装置１００の周囲が明るい場合に、１つの画像当たりの投影時間を延長することにより、投影画像を見易いように自動的に調整することができる。
【００４７】
尚、上記処理は一例であって、本発明の範囲を限定するものではない。例えば、画像投影装置１００が設置された環境に係る情報について、画像投影装置１００の周囲の明るさとして説明したが、投影面の明るさ等であっても良い。また、照度センサ１０５によって、明るさを検知するものとして説明を行ったが、例えば、カメラ等により撮像した投影面等の画像を解析すること等により、明るさを検出するものであっても良い。
【００４８】
（変形例）
第１の実施の形態では、画像投影装置１００の周囲の明るさを示す情報等により、スライドショーの画像切り替え時間を変更するものであったが、明るさを示す情報に代えて、現在の時刻によって、投影する画像の切替え速度を変更するものであっても良い。例えば、画像投影装置１００を屋外や、窓際等に設置した場合、夜間と昼間で明るさが大きく異なると考えられる。従って、周囲が明るい昼間は、投影画面の視認性が下がるので、投影時間を夜間よりも長くする処理を行う。
【００４９】
例えば、補正後の投影時間をＴａ、補正前の投影時間をＴｂ、補正値をｔ１、ｔ２（ｔ１＜ｔ２）とし、以下のように補正後の投影時間Ｔａを算出する。
（現在の時刻ＴＮが１８：００〜７：００の場合）
補正後の投影時間（Ｔａ）＝補正前の投影時間（Ｔｂ）＋補正値（ｔ１）
（現在の時刻ＴＮが７：００〜１７：５９の場合）
補正後の投影時間（Ｔａ）＝補正前の投影時間（Ｔｂ）＋補正値（ｔ２）
このようにして、現在の時刻情報により、投影時間を切り替えることにより、照度センサ１０５を有していないシステムにおいても、設置された環境（現在の時刻）に応じて、投影画像を見易いように自動的に調整することができる。
【００５０】
［第２の実施の形態］
第２の実施の形態では、画像投影装置１００が、設置された環境に係る情報に基づいて、投影する画像の加工を行う場合の処理について説明する。
【００５１】
図６は、第２の実施の形態に係る画像加工処理の一例を示すシーケンスチャートである。表示制御手段２０７は、ユーザの投影開始を指示する操作等に応じて、記憶手段２０３に記憶された投影シナリオ２０９を取得する（ステップＳ６０１、Ｓ６０２）。表示制御手段２０７は、取得した投影シナリオ２０９に基づいて、画像変更手段２０８に、最初に投影する画像１の変更を要求する（ステップＳ６０３）。
【００５２】
要求を受けた画像変更手段２０８は、記憶手段２０３より、指定された画像１を取得する（ステップＳ６０４、Ｓ６０５）。さらに、画像変更手段２０８は、環境取得手段２０４から、画像投影装置１００が設置された環境に係る情報を取得する（ステップＳ６０６、Ｓ６０７）。尚、ここでは、設置された環境に係る情報が、画像投影装置１００の周囲の明るさを示す情報である場合について説明を行う。画像変更手段２０８は、取得した画像投影装置１００の周囲の明るさを示す情報に基づいて、画像１の加工内容を決定する（ステップＳ６０８）。
【００５３】
ここで、周囲の明るさに応じた画像の加工内容の決定方法の一例について説明する。例えば、明るい画像（白っぽい画像）を明るい場所で投影した場合、画像がわかりにくくなる。本実施の形態に係る画像投影装置１００は、様々な場所で使用されるため、周囲の明るさに応じて画像の色味を変更する事で、多くの環境で見易い画像を投影する。具体的には、例えば、照度センサ１０５から取得した明るさを示す値Ｘが、予め定められた閾値Ｗを超えている場合、例えば、以下の計算式により、画像を構成する全ての画素に対して、明るさを下げる（暗くする）補正を行う。
補正後の画素（Ｐａ）＝補正前の画素（Ｐｂ）−補正値（ｓ）
また、以下のようにガンマ補正を行うことによっても、同様の効果が得られる。
補正後の画素（Ｐａ）＝補正前の画素（Ｐｂ）１／γ
尚、γは、画像投影装置１００のガンマ値である。
【００５４】
さらに、複数の閾値Ｗ１、Ｗ２（Ｗ１＞Ｗ２）を定め、照度センサ１０５から取得した明るさを示す値Ｘに応じて、補正前の画素から以下のように補正値を減算して、補正後の画素を算出するものであっても良い。
【００５５】
例えば、以下の式において、ｓ１＞ｓ２＞ｓ３となるように、補正値ｓ１、ｓ２、ｓ３を定める。尚、Ｘの値は、大きい方がより明るいことを示すものとする。
（Ｘ＞Ｗ１の場合）
補正後の画素（Ｐａ）＝補正前の画素（Ｐｂ）―補正値（ｓ１）
（Ｗ１≧Ｘ＞Ｗ２の場合）
補正後の画素（Ｐａ）＝補正前の画素（Ｐｂ）―補正値（ｓ２）
（Ｗ２≧Ｘの場合）
補正後の画素（Ｐａ）＝補正前の画素（Ｐｂ）―補正値（ｓ３）
例えば、このようにして、周囲の明るさが明るい場合に、画像の明るさを下げるように、画像の加工を行う。
【００５６】
図６に戻って説明を続ける。画像変更手段２０８は、ステップＳ６０８で画像１の加工内容を決定すると、加工手段２０５に画像１の加工を要求する（ステップＳ６０９）。画像投影装置１００は、投影する画像データの全ての画素について上記補正を行う必要があるので、ＣＰＵ１０１で動作するソフトウェアで処理を行うよりも、画像処理部１０３のＤＳＰ等で加工処理を行うことが望ましいためである。
【００５７】
要求を受けた加工手段２０５は、例えば、記憶手段２０３に格納された画像１を読出し、読み出した画像１を加工し（ステップＳ６１０）、記憶手段２０３の別の領域に記憶する。次に、加工手段２０５は、加工した画像１を記憶した格納場所を画像変更手段２０８に通知する（ステップＳ６１１）。画像変更手段２０８は、加工された画像１を取得し、表示制御手段２０７に通知する（ステップＳ６１２）。表示制御手段２０７は、画像変更手段２０８から取得した画像１の投影を、投影手段２０２に要求する（ステップＳ６１３）。同様にして、順次、画像２〜４の投影を行う。
【００５８】
上記動作により、所定の画像を所定の間隔で順次投影する画像投影装置１００において、画像投影装置１００が設置された場所の明るさを示す情報に応じて、上記所定の画像データの色に係るデータを、見易いように変更することができる。
【００５９】
尚、上記動作は一例であって、本発明の範囲を限定するものではない。例えば、画像１を加工した後の加工手段２０５からの通知（ステップＳ６１１）は、画像変更手段２０８を介さずに、表示制御手段２０７に通知するものであっても良い。また、画像変更手段２０８は、加工後の画像１を記憶手段２０３ではなく、図１のビデオＲＡＭ１０９に書き込むものであっても良い。さらに、上記例では、設置された環境に係る情報に基づいて、画像データの明るさに係るデータを変更するものであったが、例えば、画像の色合い、コントラスト、解像度等を変更するものであっても良い。或いは、画像データに含まれるオブジェクトや、文字の大きさを変更するものであっても良い。
【００６０】
（変形例）
第２の実施の形態では、画像投影装置１００の周囲の明るさを示す情報等により、画像の加工を行うものであったが、明るさを示す情報に代えて、現在の時刻によって、投影する画像の加工内容を変更するものであっても良い。
【００６１】
例えば、画像投影装置１００を屋外や、窓際等に設置した場合、夜間と昼間で明るさが大きく異なると考えられる。従って、周囲が明るい昼間は、投影画面の視認性が下がるので、投影する画像の明るさを下げる補正を行う。
【００６２】
例えば、現在の時刻をＴＮ、補正後の画素をＰａ、補正前の画素をＰｂ、補正値をｓ１、ｓ２（ｓ１＜ｓ２）とし、以下のように画素の補正を行う。
（現在の時刻ＴＮが１８：００〜７：００の場合）
補正後の画素（Ｐａ）＝補正前の画素（Ｐｂ）−補正値（ｓ１）
（現在の時刻ＴＮが７：００〜１７：５９の場合）
補正後の画素（Ｐａ）＝補正前の画素（Ｐｂ）−補正値（ｓ２）
このようにして、現在の時刻情報に応じて、画像の明るさを補正することにより、照度センサ１０５を有していないシステムにおいても、設置された環境（現在の時刻）に応じて、投影画像を見易いように自動的に調整することができる。
【００６３】
［第３の実施の形態］
第３の実施の形態では、画像投影装置１００が、設置された環境に係る情報に基づいて、複数の投影する画像データの候補の中から、投影する一の画像データを選択する場合の処理について説明する。
【００６４】
図７は、第３の実施の形態に係る画像選択処理の一例を示すシーケンスチャートである。表示制御手段２０７は、ユーザの投影開始を指示する操作等に応じて、記憶手段２０３に記憶された投影シナリオ２０９を取得する（ステップＳ７０１、Ｓ７０２）。表示制御手段２０７は、取得した投影シナリオ２０９に基づいて、画像変更手段２０８に、最初に投影する画像１の選択を要求する（ステップＳ７０３）。
【００６５】
要求を受けた画像変更手段２０８は、環境取得手段２０４から、画像投影装置１００が設置された環境に係る情報を取得する（ステップＳ７０４、Ｓ７０５）。尚、ここでは、設置された環境に係る情報が、画像投影装置１００の周囲の明るさを示す情報である場合について説明を行う。さらに、画像変更手段２０８は、記憶手段２０３より、指定された画像１の候補となる複数の画像データ（画像１−Ａ、画像１−Ｂ）を取得する（ステップＳ７０６〜Ｓ７０８）。次に、画像変更手段２０８は、取得した画像投影装置１００の周囲の明るさを示す情報に基づいて、画像１の候補となる複数の画像データの中から、投影する画像データを選択する（ステップＳ６０８）。
【００６６】
ここで、周囲の明るさに応じた画像選択処理の一例について説明する。投影する画像の候補となる複数の画像は、例えば、同じ内容で、画像の明るさや、文字の大きさ、或いはその両方が異なる画像を用意しておく。そして、画像投影装置１００の周囲の明るさを示す値Ｘに応じて、どの画像を表示するかを予め定めておく。例えば、画像変更手段２０８は、周囲の明るさを示す値Ｘが、予め定められた閾値Ｗよりも大きい（明るい）場合、画像１−Ａを選択する。また、周囲の明るさを示す値Ｘが、閾値Ｗ以下（暗い）場合、画像１−Ｂを選択する等として、テーブルを作成し、記憶手段２０３等に記憶しておくと良い。尚、閾値の数、候補となる画像の数等は、任意の数で良い。
【００６７】
或いは、画像変更手段２０８は、記憶手段２０３から取得した複数の画像データのそれぞれを解析して、画像の明るさ、画像に含まれる文字の大きさ等を判断し、その判断結果に基づいて、周囲の明るさに適した画像を選択するものであっても良い。画像の明るさは、例えば、ＹＣｂＣｒ形式の画像データであれば、輝度を示すＹの値の全画素の代表値（平均値、中央値等）により判断することができる。また、文字の大きさはＯＣＲ（Optical Character Recognition）等の文字認識技術を利用して、文字の大きさを判断することができる。
【００６８】
図７に戻って説明を続ける。画像変更手段２０８は、ステップＳ７０９で画像１を選択した後、選択した画像１を表示制御手段２０７に通知する（ステップＳ７１０）。表示制御手段２０７は、通知された画像１の投影を投影手段２０２に要求する（ステップＳ７１１）。以下、同様にして、順次、画像２〜４の投影を行う。
【００６９】
上記動作により、投影シナリオ２０９に基づいて、所定の画像を所定の間隔で順次投影する画像投影装置１００において、投影する画像となる複数の画像データの中から、周囲の明るさに適した画像データを選択することができる。すなわち、画像変更手段２０８は、設置された環境に係る情報に基づいて、投影する画像データをより見易い画像に変更することにより、投影画像を見易いように調整することができる。
【００７０】
（変形例１）
第３の実施の形態では、設置された環境に係る情報が、画像投影装置１００の周囲の明るさを示す情報である場合について説明を行ったが、設置された環境に係る情報は、現在の日付を示す情報であっても良い。日付は、例えば、季節、平日／休日等、広い意味で、画像投影装置１００が設置された環境を示す情報と言える。
【００７１】
ここで、日付を示す情報に応じた画像選択処理の一例について説明する。例えば、現在の月をＭとした場合、画像投影装置１００は、Ｍの値に応じて、季節に応じたコンテンツ（画像）を表示する。
【００７２】
図８は、一実施形態に係る投影シナリオ２０９の別の一例を示す図である。図３に示した投影シナリオとの違いは、画像１、画像３及び画像４の格納場所が、ファイル名ではなく、ディレクトリ名となっている点である。例えば、図８の投影シナリオ２０９において、画像１の格納場所は、/data/JPEG/File1となっている。図８のディレクトリ構成８０１を見ると、上記格納場所には３つの画像ファイル（default.jpg、warm.jpg、cool.jpg）が格納されている。
【００７３】
ここで、画像データ「default.jpg」は、通常の画像、画像データ「warm.jpg」は、温かみを感じさせる画像（暖かい画像）、画像データ「cool.jpg」は、涼しげな画像（涼しい画像）であるものとする。また、同様に、画像３及び画像４についても、通常の画像、温かい画像、涼しい画像が用意されているものとする。
【００７４】
例えば、図７のシーケンスチャートのステップＳ７０４、Ｓ７０５において、画像変更手段２０８は、環境取得手段２０４、例えば、図１のＲＴＣ１０４から、現在の日付を示す情報を取得する。次に、ステップＳ７０９において、現在の月（Ｍ）に応じて、以下のように投影する画像１を選択する。
（Ｍが６月〜８月の場合）
涼しい画像（cool.jpg）を選択する。
（Ｍが３月〜５月、及び９月〜１１月の場合）
通常の画像（default.jpg）を選択する。
（Ｍが１１月〜２月の場合）
温かい画像（warm.jpg）を選択する。
同様にして、画像３及び画像４を選択する。
【００７５】
上記動作により、画像投影装置１００は、季節（日付）に応じて、自動的に表示する画像データを変更することができる。
【００７６】
尚、上記説明では、暖かい画像、涼しい画像、及び通常の画像を予め指定しておくものとしたが、画像変更手段２０８が、複数の候補画像を解析し、暖かい画像、涼しい画像を判断するものであっても良い。例えば、画像変更手段２０８は、候補画像の全画素のＲ（赤）、Ｇ（緑）及びＢ（青色）の大きさを算出し、
（Ｒ画素値の合計）＞（Ｂ画素値の合計）＋（Ｇ画素値の合計）
を満たす画像を暖かい画像と判断するものであっても良い。
【００７７】
（変形例２）
変形例１では、設置された環境に係る情報が、現在の日付を示す情報である場合について説明を行ったが、設置された環境に係る情報は、画像投影装置１００の周囲の温度であっても良い。
【００７８】
例えば、図７のシーケンスチャートのステップＳ７０４、Ｓ７０５において、画像変更手段２０８は、環境取得手段２０４、例えば、図１の温度センサ１０６から、画像投影装置１００の周囲の温度を示す情報を取得する。次に、ステップＳ７０９において、周囲の温度に応じて、以下のように投影する画像１を選択する。
（周囲の温度が２５度を超える場合）
涼しい画像（cool.jpg）を選択する。
（周囲の温度が２５度以下で５度を超える場合）
通常の画像（default.jpg）を選択する。
（周囲の温度が５度以下の場合）
温かい画像（warm.jpg）を選択する。
同様にして、画像３及び画像４を選択する。
【００７９】
上記動作により、画像投影装置１００は、周囲の温度に応じて、自動的に適切な投影画像に変更することができる。
【００８０】
［第４の実施の形態］
第１〜第３の実施の形態は、必要に応じて組み合わせて実施することができる。第４の実施の形態では、好適な一例として、第１の実施の形態と第３の実施の形態とを組み合わせて実施した場合について説明する。
【００８１】
図９は、第４の実施の形態に係る処理の一例を示すシーケンスチャートである。
表示制御手段２０７は、ユーザの投影開始を指示する操作等に応じて、記憶手段２０３に記憶された投影シナリオ２０９を取得する（ステップＳ９０１、Ｓ９０２）。表示制御手段２０７は、取得した投影シナリオ２０９に基づいて、時間変更手段２０６に、最初に投影する画像１の投影時間１の算出を要求する（ステップＳ９０３）。
【００８２】
要求を受けた時間変更手段２０６は、環境取得手段２０４から、画像投影装置１００が設置された環境に係る情報を取得する（ステップＳ９０４、Ｓ９０５）。尚、ここでは、設置された環境に係る情報が、画像投影装置１００の周囲の明るさを示す情報である場合について説明を行う。環境取得手段２０４から、明るさを示す情報を取得した時間変更手段２０６は、画像投影装置１００の周囲の明るさに応じた投影時間１を算出し（ステップＳ９０６）、表示制御手段２０７へ通知する（ステップＳ９０７）。
【００８３】
一方、表示制御手段２０７は、取得した投影シナリオ２０９に基づいて、画像変更手段２０８に、最初に投影する画像１の選択を要求する（ステップＳ９０８）。要求を受けた画像変更手段２０８は、記憶手段２０３より、指定された画像１の候補となる複数の画像データ（画像１−Ａ、画像１−Ｂ）を取得する（ステップＳ９０９〜Ｓ９１１）。続いて、画像変更手段２０８は、環境取得手段２０４から、画像投影装置１００の周囲の明るさを示す情報を取得する（ステップＳ９１２、Ｓ９１３）。次に、画像変更手段２０８は、取得した画像投影装置１００の周囲の明るさを示す情報に基づいて、画像１の候補となる複数の画像データの中から、投影する画像データを選択する（ステップＳ９１４）。尚、投影する画像データの選択方法は、第３の実施の形態と同じある。
【００８４】
画像変更手段２０８は、選択した画像１を表示制御手段２０７に通知する（ステップＳ９１５）。表示制御手段２０７は、通知された画像１の投影を投影手段２０２に要求する（ステップＳ９１６）。以下、同様にして、順次、画像２〜４の投影を行う。
【００８５】
上記動作により、投影シナリオ２０９に基づいて、所定の画像を所定の間隔で順次投影する画像投影装置１００において、画像投影装置１００が設置された環境に係る情報に基づいて、上記所定の間隔を変更すると共に、上記所定の画像を変更することができる。これにより、画像変更手段２０８は、設置された環境に係る情報に基づいて、投影する画像データをより見易いように調整することができる。
【００８６】
［第５の実施の形態］
図１０は、第５の実施の形態に係る画像投影装置１０００の機能構成の一例を示す図である。画像投影装置１０００は、図２の画像投影装置１００の機能構成に加えて、データ取得手段１００２を有している。データ取得手段１００２は、例えば、ＵＳＢメモリや、メモリカード等の記録媒体、又は外部機器等の外部記憶手段１００１から、投影シナリオ２０９、及び／又は画像データ２１０等を取得するための手段である。データ取得手段１００２は、例えば、図１の外部メモリＩ／Ｆ１１１、又はＵＳＢ等のデータインタフェース等を含む。また、データ取得手段１００２は、ネットワークを介して接続された外部サーバ等から、投影シナリオ２０９、及び／又は画像データ２１０等を取得するものあっても良い。
【００８７】
尚、外部機器は、例えば、スマートフォン、タブレット端末、デジタルカメラ等、データインタフェースに接続することによって画像データ、投影シナリオ等を読出し可能な機器である。
【００８８】
画像投影装置１０００は、データ取得手段１００２により、投影する画像を外部記憶手段１００１又は外部サーバから入力することができるので、例えば、新しい商品に対応した広告画像への切り替えを容易に行うことができる。
【００８９】
さらに、画像投影装置１０００は、データ取得手段１００２により、外部記憶手段１００１又は外部サーバから投影シナリオ２０９の取得も可能である。従って、例えば、画像データ２１０と投影シナリオ２０９から成るコンテンツの作成を外部の業者に委託した場合等にも、容易にコンテンツを取り込むことができる。
【００９０】
［第６の実施の形態］
図１１は、第６の実施の形態に係る画像投影システム１１００の機能構成の一例を示す図である。画像投影システム１１００は、例えば、情報処理装置１１０１、投影装置１１０７、外部サーバ１１０２等を有している。また、画像投影システム１１００は、情報処理装置１１０１、又は投影装置１１０７等が設置された、周囲の環境に係る情報を取得するための外部機器１１０８を有していても良い。外部機器１１０８は、例えば、明るさ、温度、時刻、日付、又は周囲の画像、音声等の各種情報を取得する機器、或いは、前述した各種情報を記憶する装置又は記録媒体等である。
【００９１】
情報処理装置１１０１は、例えば、ＰＣ（Personal Computer）、タブレット端末、又はスマートフォン等の情報処理装置である。尚、情報処理装置１１０１は、本発明に係る画像処理装置の一例である。
【００９２】
情報処理装置１１０１は、通信手段１１０９を有し、ネットワークを介して、外部サーバ１１０２に接続されている。また、第１〜第５の実施の形態では、本発明に係る画像処理装置が画像投影装置である場合について説明したが、本発明に係る画像処理装置は、必ずしも投影手段２０２を有していなくても良い。例えば、図１１の情報処理装置１１０１のように、外部に接続された投影装置１１０７に、所定の画像を所定の時間間隔で投影装置１１０７に出力するものであっても良い。
【００９３】
また、図１１のように、通信手段１１０９を介して接続された外部サーバ１１０２に、投影シナリオ１１０３、画像データ１１０４及び加工手段１１０５のうちの少なくとも一つを備えるものであっても良い。
【００９４】
情報処理装置１１０１の環境取得手段２０４は、通信手段１１０９を介して、外部サーバ１１０２から、周囲の環境に係る情報（環境情報１１０６）を取得するものであっても良い。また、環境取得手段２０４は、外部機器１１０８から、周囲の環境に係る情報を取得するものであっても良い。
このように、本発明は、用途や目的に応じて様々なシステム構成が可能である。
【００９５】
図１２は、第６の実施の形態に係る画像加工処理の一例を示すシーケンスチャートである。表示制御手段２０７は、ユーザの投影開始を指示する操作等に応じて、通信手段１１０９を介して、外部サーバ１１０２に記憶された投影シナリオ１１０３を取得する（ステップＳ１２０１〜Ｓ１２０４）。表示制御手段２０７は、取得した投影シナリオ１１０３に基づいて、画像変更手段２０８に、最初に投影する画像１の変更を要求する（ステップＳ１２０５）。
【００９６】
要求を受けた画像変更手段２０８は、環境取得手段２０４から、情報処理装置１１０１又は投影装置１１０７が設置された環境に係る情報を取得する（ステップＳ１２０６、Ｓ１２０７）。画像変更手段２０８は、取得した周囲の環境に係る情報に基づいて、画像１の加工内容を決定する（ステップＳ１２０８）。
【００９７】
続いて、画像変更手段２０８は、通信手段１１０９を介して、外部サーバ１１０２に画像１の加工を要求する（ステップＳ１２０９、Ｓ１２１０）。外部サーバ１１０２に備えられた加工手段１１０５は、画像変更手段２０８からの要求に応じて、画像データ１１０４から画像１を読出し、所定の加工を行う（ステップＳ１２１１）。尚、加工手段１１０５による加工内容については、第２の実施の形態と同様で良い。次に、加工手段１１０５は、加工された画像１を、情報処理装置１１０１に通知（送信）する（ステップＳ１２１２、Ｓ１２１３）。通信手段１１０９を介して、加工された画像１を受信した画像変更手段２０８は、表示制御手段２０７に加工された画像１を通知する（ステップＳ１２１４）。表示制御手段２０７は、加工された画像１を投影装置１１０７に出力する（ステップＳ１２１５）。同様にして、画像２〜４の投影を行う。
【００９８】
以上、本実施の形態では、情報処理装置１１０１は、画像データの変更に係る処理を外部の装置又はシステムに実行させることができる。このように、本発明は様々なシステム構成が可能である。
【００９９】
尚、本発明に係る画像処理装置の一例として、画像投影装置及び画像投影システムについて説明を行ったが、本発明の範囲を限定するものではない。例えば、画像処理装置は、投影装置ではなく、液晶等のディスプレイ装置に画像を表示するものであっても良い。
【０１００】
また、設置された環境に係る情報について、明るさ、温度、現在の時刻、日付、曜日、又は季節以外の情報を用いても良い。例えば、画像処理装置の周囲の音声や画像を解析した情報等であっても良い。
【符号の説明】
【０１０１】
１００    画像投影装置（画像処理装置）
２０１    制御手段
２０２    投影手段
２０３    記憶手段
２０４    環境取得手段
２０５、１１０５    加工手段
２０６    時間変更手段
２０７    表示制御手段
２０８    画像変更手段
２０９、１１０３    投影シナリオ
１１００    画像投影システム（画像処理システム）
１１０１    情報処理装置（画像処理装置）
【先行技術文献】
【特許文献】
【０１０２】
【特許文献１】特許４３０６６６１号公報
【図１】
2015049480.tif 000003
【図２】
2015049480.tif 000004
【図３】
2015049480.tif 000005
【図４】
2015049480.tif 000006
【図５】
2015049480.tif 000007
【図６】
2015049480.tif 000008
【図７】
2015049480.tif 000009
【図８】
2015049480.tif 000010
【図９】
2015049480.tif 000011
【図１０】
2015049480.tif 000012
【図１１】
2015049480.tif 000013
【図１２】
2015049480.tif 000014